(57)【要約】【課題】ループバックプロセス及びループバックシステムの構成を単純化するための効率的なループバックプロセス制御方法を提供する。【解決手段】イーサネット（登録商標）受動型光加入者ネットワークにおけるローカルデバイス４１０と遠隔デバイス４２０との間でループバックプロセスを制御するためのループバックプロセス制御方法において、ループバック制御（ＬＣ）ＯＡＭ ＰＤＵにループバックプロセスの開始(Initiating)及び終了(Exiting)の時に使用されるメッセージであることを識別するための識別用フィールドを提供する過程と、ローカルデバイス及び遠隔デバイスがその識別用フィールドをもたせたループバック制御ＯＡＭ ＰＤＵを使用してループバックプロセスを遂行する過程と、を含むことを特徴とする。【選択図】    図５
2004215271.tif 000002
【特許請求の範囲】
【請求項１】
イーサネット（登録商標）受動型光加入者ネットワークにおけるローカルデバイスと遠隔デバイスとの間でループバックプロセスを制御するためのループバックプロセス制御方法において、
ループバック制御ＯＡＭ ＰＤＵにループバックプロセスの開始及び終了の時に使用されるメッセージであることを識別するための識別用フィールドを提供する過程と、
ローカルデバイス及び遠隔デバイスが前記ループバック制御ＯＡＭ ＰＤＵを使用してループバックプロセスを遂行する過程と、を含むことを特徴とするループバックプロセス制御方法。
【請求項２】
識別用フィールドは、
ループバックプロセスの開始を要請するメッセージであることを表示する第１フィールド値と、
ループバックプロセスの開始要請を確認するメッセージであることを表示する第２フィールド値と、
ローカルデバイスから遠隔デバイスにループバックプロセスの終了を要請するメッセージであることを表示する第３フィールド値と、
遠隔デバイスからローカルデバイスにループバックプロセスの終了を要請するメッセージであることを表示する第４フィールド値と、
ローカルデバイスから遠隔デバイスに前記第４フィールド値を確認するメッセージであることを表示する第５フィールド値と、のうちいずれか１つの値を含む請求項１記載のループバックプロセス制御方法。
【請求項３】
ループバック制御ＯＡＭ ＰＤＵを使用してループバックプロセスを遂行する過程は、ループバックプロセスの開始プロセスとループバックプロセスの終了プロセスからなり、
ループバックプロセスの開始プロセスは、ローカルデバイスがループバックプロセスの開始を要請するループバック制御ＯＡＭ ＰＤＵを遠隔デバイスに伝送する第１過程と、これに応じる遠隔デバイスがループバックプロセスの開始を確認するループバック制御ＯＡＭ ＰＤＵをローカルデバイスに伝送する第２過程と、を含み、
ループバックプロセスの終了プロセスは、ローカルデバイスがループバックプロセスの終了を要請するループバック制御ＯＡＭ ＰＤＵを遠隔デバイスに伝送してループバックプロセスを終了できるようにする過程である請求項１記載のループバックプロセス制御方法。
【請求項４】
ループバック制御ＯＡＭ ＰＤＵを使用してループバックプロセスを遂行する過程は、ループバックプロセスの開始プロセスとループバックプロセスの終了プロセスからなり、
ループバックプロセスの開始プロセスは、ローカルデバイスがループバックプロセスの開始を要請するループバック制御ＯＡＭ ＰＤＵを遠隔デバイスに伝送する第１過程と、これに応じる遠隔デバイスがループバックプロセスの開始を確認するループバック制御ＯＡＭ ＰＤＵをローカルデバイスに伝送する第２過程と、を含み、
ループバックプロセスの終了プロセスは、遠隔デバイスがループバックプロセスの終了を要請するループバック制御ＯＡＭ ＰＤＵをローカルデバイスに伝送する第３過程と、これに応じるローカルデバイスがループバックプロセスの終了を確認するループバック制御ＯＡＭ ＰＤＵを遠隔デバイスに伝送する第４過程と、を含む請求項１記載のループバックプロセス制御方法。
【請求項５】
ループバック制御ＯＡＭ ＰＤＵを使用してループバックプロセスを遂行する過程は、ループバックプロセスの開始プロセスとループバックプロセスの終了プロセスからなり、
ループバックプロセスの開始プロセスは、ローカルデバイスがループバックプロセスの開始を要請するループバック制御ＯＡＭ ＰＤＵを遠隔デバイスに伝送する第１過程と、これに応じる遠隔デバイスがループバックプロセスの開始を確認するループバック制御ＯＡＭ ＰＤＵをローカルデバイスに伝送する第２過程と、を含み、
ループバックプロセスの終了プロセスは、遠隔デバイスがループバックプロセスに対して予め設定された時間の終了を感知する第３過程と、この終了を感知した遠隔デバイスがループバックプロセスの終了を要請するループバック制御ＯＡＭ ＰＤＵをローカルデバイスに伝送する第４過程と、これに応じるローカルデバイスがループバックプロセスの終了を確認するループバック制御ＯＡＭ ＰＤＵを遠隔デバイスに伝送する第５過程と、を含む請求項１記載のループバックプロセス制御方法。
【発明の詳細な説明】
【技術分野】
【０００１】
本発明は、イーサネット（登録商標）受動型光加入者ネットワークにおけるＯＡＭ(operation, administration, and maintenance)機能に関する。
【背景技術】
【０００２】
現在、ギガビットイーサネット（登録商標）及びＡＴＭ−ＰＯＮ用ＭＡＣ技術は標準化が完了し、その内容は、ＩＥＥＥ ８０２．３ｚ及びＩＴＵ−Ｔ(International Telecommunication Union-Telecommunication Standardization Sector) Ｇ．９８３．１に記載されている。ツリー(tree)形態のＡＴＭ−ＰＯＮにおいて、ＡＴＭセルは、一定のサイズを有するフレーム形態で上下伝送される。ＯＬＴ(Optical Line Termination)は、各ＯＮＵ(Optical Network Unit)に配分される下りセルを伝送する。
【０００３】
図１は、一般的な受動型光加入者ネットワークの物理的ネットワーク構造を示す。
【０００４】
図１に示すように、受動型光加入者ネットワークは、１つのＯＬＴ１００及びＯＬＴ１００に接続される複数のＯＮＵ１１０−１〜１１０−３から構成される。特に、図１は、１つのＯＬＴ１００と３つのＯＮＵ１１０−１〜１１０−３が互いに接続された例を示し、ＯＮＵ１１０−１〜１１０−３のそれぞれは、少なくとも１つのエンドユーザ(End User)(使用者装置(user device)またはネットワーク装置(network device))１２０−１〜１２０−３に接続される。各エンドユーザ１２０−１〜１２０−３から出力されるデータ１３１〜１３３は、対応するＯＮＵ１１０−１〜１１０−３を経てＯＬＴ１００に伝送される。
【０００５】
図１に示す光加入者ネットワーク(Ethernet（登録商標） Passive Optical Network：ＥＰＯＮと称する)構造において、ＩＥＥＥ ８０２．３イーサネット（登録商標）フレームは、点対多点(Point-to-multipoint)構造のネットワークを通じてＴＤＭ(Time Division Multiplexing)方式によって伝送される。受動素子であるＯＤＮ(Optical Distribution Network)において、データの衝突を防止するために、レンジング(ranging)という方法が適用される。つまり、上り伝送の時には、各ＯＮＵ１１０−１〜１１０−３からのデータがマルチプレキシングされてＯＬＴ１００に伝送され、下り伝送の時には、ＯＮＵ１１０−１〜１１０−３がＯＬＴ１００からのデータのうち自分宛のデータのみを選択して受信する。このために、上下伝送フレームは、一定間隔でメッセージを交換するために専用ＡＴＭセルまたは一般ＡＴＭセル内にフィールドを備える。
【０００６】
インターネット技術の発達につれてより多くの帯域幅が要求されるようになるに従い、相対的に高価の設備を要し、帯域幅に制限があり且つＩＰパケットを分割(segmentation)しなければならないＡＴＭ技術よりも、相対的に低価格の設備で高い帯域幅を確保できるギガビットイーサネット(登録商標)によって、エンドツーエンド(end to end)伝送を達成するようになってきている。従って、加入者ネットワークのＰＯＮ構造においてもＡＴＭではなくイーサネット(登録商標)方式を要求するようになっている。
【０００７】
ＥＰＯＮ標準化は、ＩＥＥＥ ８０２．３ａｈによってＥＦＭ(Ethernet（登録商標） in the First Mile)という名で２００３年９月を目指して進行された。Ｄｒａｆｔ ｖ１．２は、現在進行中であり、２００３年１１月には、Ｄｒａｆｔ ｖ２．０が完了される予定である。図２は、Ｄｒａｆｔ ｖ１．２において決定されたＯＡＭパケット２００のフォーマットを示す。
【０００８】
ローカルデバイス(Local Device)と遠隔デバイス(Remote Device)との間にループバックテスト(Loopback Test)を遂行するために、ローカルデバイスは、ループバック制御(Loopback Control)ＯＡＭ ＰＤＵ(Packet Data Unit)を遠隔デバイスに伝送する。この時、ループバック制御ＯＡＭ ＰＤＵは、ローカルデバイスによって決定されたループバック時間(Loopback Time)値を含む。このループバック制御ＯＡＭ ＰＤＵを受信した遠隔デバイスは、ループバック状態に転換され、ＯＡＭ ＰＤＵ情報を使用して遠隔デバイスのループバック状態情報をローカルデバイスに伝送することによってループバックを開始する。
【０００９】
一定時間の間にループバックテストが遂行された後、ループバックテストの終了(termination)が遂行される。終了プロセスを遂行するための方法は２つある。第１の方法は、ローカルデバイスから終了を試みる方法であり、第２の方法は、遠隔デバイスから終了を試みる方法である。第１の方法によると、ローカルデバイスが終了を試みる時、ループバック時間が‘０’に決定されたループバック制御ＯＡＭ ＰＤＵを遠隔デバイスに伝送する。次に、 遠隔デバイスは、‘０’のループバック時間を含むループバック制御ＯＡＭ ＰＤＵを受信し、ループバック時間を‘０’に設定することでループバックを終了する。従って、遠隔デバイスは、変更されたループバック状態を含むＯＡＭ ＰＤＵ情報をローカルデバイスに伝送する。ローカルデバイスは、遠隔デバイスから伝送されたＯＡＭ ＰＤＵ情報を受信した後、自分の変更されたループバック状態−ループバック停止状態−を遠隔デバイスに伝送することで、ループバックプロセスが終了される。
【００１０】
第２の方法は、ループバック開始の時にローカルデバイスによって設定されたループバック時間がタイムアウトされる方式である。つまり、遠隔デバイスによって、設定されたループバック時間がタイムアウトとなった時、変更されたループバック状態を含むＯＡＭ ＰＤＵ情報をローカルデバイスに伝送する。次に、ローカルデバイスは、これに対する応答として、自分のループバック状態−ループバック停止状態−を遠隔デバイスに伝送することでループバックプロセスを終了する。
【００１１】
このように、従来技術においてループバックの開始及び終了を遂行するためには、ループバック制御ＯＡＭ ＰＤＵ及びＯＡＭ ＰＤＵ情報の２つのメッセージが交換される。これにより、従来の技術では、システムの複雑性が増加し、非効率的なメッセージ交換が行われている。
【発明の開示】
【発明が解決しようとする課題】
【００１２】
本発明の目的は、ループバックプロセス及びループバックシステムの構成を単純化するための効率的なループバックプロセス制御方法を提供することにある。
【課題を解決するための手段】
【００１３】
このような目的を達成するために本発明は、イーサネット（登録商標）受動型光加入者ネットワークにおけるローカルデバイスと遠隔デバイスとの間でループバックプロセスを制御するためのループバックプロセス制御方法として、ループバック制御ＯＡＭ ＰＤＵにループバックプロセスの開始及び終了の時に使用されるメッセージであることを識別するための識別用フィールドを提供する過程と、ローカルデバイス及び遠隔デバイスがその識別用フィールドをもたせたループバック制御ＯＡＭ ＰＤＵを使用してループバックプロセスを遂行する過程と、を含むことを特徴とした制御方法を提案する。
【００１４】
この方法の識別用フィールドは、ループバックプロセスの開始を要請するメッセージであることを表示する第１フィールド値と、ループバックプロセスの開始要請を確認するメッセージであることを表示する第２フィールド値と、ローカルデバイスから遠隔デバイスにループバックプロセスの終了を要請するメッセージであることを表示する第３フィールド値と、遠隔デバイスからローカルデバイスにループバックプロセスの終了を要請するメッセージであることを表示する第４フィールド値と、ローカルデバイスから遠隔デバイスに第４フィールド値を確認するメッセージであることを表示する第５フィールド値と、のうちいずれか１つの値を含むものとすることができる。
【００１５】
ループバック制御ＯＡＭ ＰＤＵを使用してループバックプロセスを遂行する過程は、ループバックプロセスの開始プロセスとループバックプロセスの終了プロセスからなるものとし、ループバックプロセスの開始プロセスは、ローカルデバイスがループバックプロセスの開始を要請するループバック制御ＯＡＭ ＰＤＵを遠隔デバイスに伝送する第１過程と、これに応じる遠隔デバイスがループバックプロセスの開始を確認するループバック制御ＯＡＭ ＰＤＵをローカルデバイスに伝送する第２過程と、を含み、ループバックプロセスの終了プロセスは、ローカルデバイスがループバックプロセスの終了を要請するループバック制御ＯＡＭ ＰＤＵを遠隔デバイスに伝送してループバックプロセスを終了できるようにする過程とする方式が可能である。
【００１６】
あるいは、ループバック制御ＯＡＭ ＰＤＵを使用してループバックプロセスを遂行する過程は、ループバックプロセスの開始プロセスとループバックプロセスの終了プロセスからなるものとし、ループバックプロセスの開始プロセスは、ローカルデバイスがループバックプロセスの開始を要請するループバック制御ＯＡＭ ＰＤＵを遠隔デバイスに伝送する第１過程と、これに応じる遠隔デバイスがループバックプロセスの開始を確認するループバック制御ＯＡＭ ＰＤＵをローカルデバイスに伝送する第２過程と、を含み、ループバックプロセスの終了プロセスは、遠隔デバイスがループバックプロセスの終了を要請するループバック制御ＯＡＭ ＰＤＵをローカルデバイスに伝送する第３過程と、これに応じるローカルデバイスがループバックプロセスの終了を確認するループバック制御ＯＡＭ ＰＤＵを遠隔デバイスに伝送する第４過程と、を含むようにする方式が可能である。
【００１７】
あるいはまた、ループバック制御ＯＡＭ ＰＤＵを使用してループバックプロセスを遂行する過程は、ループバックプロセスの開始プロセスとループバックプロセスの終了プロセスからなるものとし、ループバックプロセスの開始プロセスは、ローカルデバイスがループバックプロセスの開始を要請するループバック制御ＯＡＭ ＰＤＵを遠隔デバイスに伝送する第１過程と、これに応じる遠隔デバイスがループバックプロセスの開始を確認するループバック制御ＯＡＭ ＰＤＵをローカルデバイスに伝送する第２過程と、を含み、ループバックプロセスの終了プロセスは、遠隔デバイスがループバックプロセスに対して予め設定された時間の終了を感知する第３過程と、この終了を感知した遠隔デバイスがループバックプロセスの終了を要請するループバック制御ＯＡＭ ＰＤＵをローカルデバイスに伝送する第４過程と、これに応じるローカルデバイスがループバックプロセスの終了を確認するループバック制御ＯＡＭ ＰＤＵを遠隔デバイスに伝送する第５過程と、を含むようにする方式が可能である。
【発明の効果】
【００１８】
本発明は、ループバック制御ＯＡＭ ＰＤＵ及びＯＡＭ ＰＤＵ情報の使用を避けることによって、ループバックの開始及び終了プロセスを単純化する。このために、１つのループバック制御ＯＡＭ ＰＤＵにフィールドを新しく定義し、このフィールドの値によって区分できるメッセージを利用してループバックの開始及び終了プロセスを遂行することによって、プロセスの複雑性を簡単にするという効果がある。さらに、本発明は、ＥＰＯＮシステムにおいてメッセージフィールドを利用してプロセスを表示するので、簡単で効率的なループバックプロセスを遂行することができるという効果がある。
【発明を実施するための最良の形態】
【００１９】
以下、本発明の好適な実施形態について添付図を参照しつつ詳細に説明する。下記の説明において、本発明の要旨のみを明確にする目的で、関連した公知機能又は構成に関する具体的な説明は省略する。
【００２０】
本発明は、現在 ＩＥＥＥ ８０２．３ａｈ ＥＦＭ(Ethernet（登録商標） in the First Mile)で論議中であるＯＡＭに関連した技術であり、点対多点のＥＰＯＮだけでなく点対点(Point-to-point)のネットワークにも適用できる。
【００２１】
特に、本発明によって、ローカルデバイスと遠隔デバイスとの間のループバックテストは、既存のＯＡＭ ＰＤＵ情報を使用せずに、ループバック制御ＯＡＭ ＰＤＵのみを使用して実現される。つまり、従来の技術では、ローカルデバイスが遠隔デバイスにループバックテストを開始する開始要求メッセージ(Iinitiate_Req)を伝送すると、遠隔デバイスがＯＡＭ ＰＤＵ情報を使用してループバックテスト開始メッセージに応答して確認メッセージ(Initiate_Ack)をローカルデバイスに伝送する。しかしながら、本発明では、１つのメッセージ、つまり、ループバック制御ＯＡＭ ＰＤＵのみを利用してローカルデバイスと遠隔デバイスとの間のループバックテスト過程が遂行される。従って、ＥＰＯＮシステムの内部のプロセスを簡単で効率的に具現することができる。このために、本発明では、ループバック制御ＯＡＭ ＰＤＵに１バイトの長さの制御フィールド(Control_field)を新しく定義する。
【００２２】
図３は、本発明によるループバック制御ＯＡＭ ＰＤＵの構造を示す図である。図３に示すように、本発明によるループバック制御ＯＡＭ ＰＤＵ３００は、制御フィールド(Control_field)３１０及びループバックタイマー(Loopback_Timer)フィールド３２０を備える。制御フィールド３１０は、ループバックの開始及び終了プロセスの時に使用されるメッセージを区分するためのフィールドである。つまり、制御フィールドによってローカルデバイスと遠隔デバイスとの間に送受信されるメッセージが区分される。
【００２３】
図４は、本発明によるループバック制御ＯＡＭ ＰＤＵの制御フィールドのタイプを示す図である。図４に示すように、ループバック制御ＯＡＭ ＰＤＵの制御フィールドは、ローカルデバイスからのループバックプロセス開始要請メッセージを表示する‘Initiate_Req’フィールド値、ローカルデバイスからのループバックプロセスの開始要請に対して確認するために遠隔デバイスから出力される開始確認メッセージを表示する‘Initiate_Ack’フィールド値、ローカルデバイスから遠隔デバイスへのループバックプロセスの終了要請メッセージを表示する‘Exit_req1’フィールド値、遠隔デバイスからローカルデバイスへのループバックプロセス終了要請メッセージを表示する‘Exit_req2’フィールド値、及び‘Exit_req2’フィールド値に対して確認するためにローカルデバイスから遠隔デバイスに伝送される終了確認メッセージを表示する‘Exit_Ack’フィールド値のうちいずれか１つを含む。そのフィールドタイプは、それぞれのフィールド値の順で‘０ｘ０１’、‘０ｘ０２’、‘０ｘ０３’、‘０ｘ０４’及び‘０ｘ０５’として割り当てられる。しかしながら、このようなフィールドタイプは、本発明の説明のための例示であり、このような値に限定されることではない。
【００２４】
図５は、本発明に係るローカルデバイスと遠隔デバイスとの間で行われるプロセス、すなわち制御フィールド(Control_field)の値によって区分された相違なるメッセージの交換プロセスを示す図である。以下、このプロセスを図３ないし図５を参照して説明する。
【００２５】
ループバック開始プロセス(Initiating)は、ローカルデバイス４１０がループバック制御ＯＡＭ ＰＤＵ(LC_OAMPDU)を遠隔デバイス４２０に伝送することによって開始される(段階５０１)。この時、ＰＤＵの値は、図４に示すように、制御フィールド(Control_field)＝‘０ｘ０１’とすることができる。図３のＰＤＵのループバックタイマー３２０の値は、‘０’ではない(loopback(lp)_timer !=0)。ローカルデバイス４１０と遠隔デバイス４２０との間にループバックプロセスが開始されると、ローカルデバイス４１０がループバックタイマーの値を決定して遠隔デバイス４２０に提供する。これに応答して、遠隔デバイス４２０は、対応するタイマー値の間にループバックプロセスを遂行する。ループバック制御ＯＡＭ ＰＤＵを受信した遠隔デバイス４２０は、その受信されたループバック制御ＯＡＭ ＰＤＵと同一のフレーム構造を有するループバック制御ＯＡＭ ＰＤＵをローカルデバイス４１０に伝送する（段階５０２）。この時、遠隔デバイス４２０からローカルデバイス４１０に伝送される制御フィールド(Control_field)３１０は、図４に示すように、‘０ｘ０２’とすることができる。さらに、ループバックプロセスが終了されていないので、ＰＤＵのループバックタイマー３２０の値は‘０’ではない(loopback(lp)_ timer !=0)。これによりループバック開始プロセスを完了し、新しいローカルデバイス及び遠隔デバイスは、テストパケットを交換するループバック動作を遂行する(Loopback Mode-exchange test packets)。
【００２６】
ループバック終了プロセス(Exiting)には、ローカルデバイス４１０がループバックプロセスを終了する第１の方法及び遠隔デバイス４２０がループバックプロセスを終了する第２の方法の２つの方法がある。
【００２７】
第１の方法において、ローカルデバイス４１０は、ループバック制御ＯＡＭ ＰＤＵを利用して遠隔デバイス４２０にループバック終了を要求する(段階５０３)。この時、ループバック制御ＯＡＭＰ ＤＵの制御フィールド３１０は、図４に示すように、‘０ｘ０３’とすることができる。さらに、ループバック制御ＯＡＭ ＰＤＵのループバックタイマーフィールド３２０は、‘０’の値を有する(Loopback(lp)_timer=0)。つまり、ローカルデバイス４１０と遠隔デバイス４２０との間のループバックプロセスを終了するために、ループバックタイマーの値は‘０’になる。
【００２８】
次に、遠隔デバイス４２０は、ローカルデバイス４１０から伝送されるループバックプロセスを終了するためのループバック制御ＯＡＭ ＰＤＵに応答すると、自分のループバック時間を‘０’に設定し、ループバック状態を終了状態に遷移する。同時に、遠隔デバイス４２０は、ローカルデバイス４１０にループバック制御ＯＡＭ ＰＤＵを伝送する(段階５０４)。段階５０４でローカルデバイス４１０に伝送されるループバック制御ＯＡＭ ＰＤＵは、図４に示すように、‘制御フィールド(Control_field)＝０ｘ０４’であり、‘ループバック時間＝０(lp_timer=0)’である。これに対し、ローカルデバイス４１０は、‘制御フィールド(Control_field)＝０ｘ０５’及び、‘ループバック時間＝０(lp_timer=0)’を有するループバック制御ＯＡＭ ＰＤＵで応答して、ループバック終了プロセスを遂行する(段階５０５)。
【００２９】
第２の方法は、ループバックプロセスの開始後、予め設定された時間値がタイムアウトすることでループバックプロセスを終了させる方式である。この場合、遠隔デバイス４２０は、タイムアウトになると図４に示すように、ローカルデバイス４１０に‘制御フィールド(Control_field)＝０ｘ０４’及び‘ループバック時間＝０(lp_timer=0)’を有するループバック制御ＯＡＭ ＰＤＵを伝送する(段階５０４)。これに応じるローカルデバイス４１０は、‘制御フィールド(Control_field)＝０ｘ０５’及び‘ループバック時間＝０(lp_timer=0)’を有するループバック制御ＯＡＭ ＰＤＵで応答して、ループバック終了プロセスを遂行する(段階５０５)。
【００３０】
以上、本発明を具体的な実施形態を参照して詳細に説明してきたが、本発明の範囲は前述の実施形態によって限られるべきではなく、本発明の範囲内で様々な変形が可能であるということは、当該技術分野における通常の知識を持つ者には明らかである。
【図面の簡単な説明】
【００３１】
【図１】一般的な受動型光加入者ネットワークの物理的ネットワーク構造を示す図。
【図２】Ｄｒａｆｔ ｖ１．２において決定されたＯＡＭパケットフォーマットを示す図。
【図３】本発明によるループバック制御ＯＡＭ ＰＤＵの構造を示す図。
【図４】本発明によるループバック制御ＯＡＭ ＰＤＵの制御フィールドのタイプを示す図。
【図５】本発明によるローカルデバイスと遠隔デバイスとの間のメッセージ交換プロセスを示す図。
【図１】
2004215271.tif 000003
【図２】
2004215271.tif 000004
【図３】
2004215271.tif 000005
【図４】
2004215271.tif 000006
【図５】
2004215271.tif 000007